(57)【要約】  【課題】トナーカートリッジを装着する際に、必然的的にトナー凝集のほぐし効果を発揮する梱包用箱体を提供する。  【解決手段】トナーカートリッジを収容する梱包用箱体１０であって、当該箱体はその長辺端部に連続する開閉面１５を有し、当該開閉面は蓋面１１、側面補強面１２および差し込み面１３が一体形成されており、前記差し込み面を箱体側面下部に設けた差込口を通して箱内部に差し込むことによって梱包箱体を形成し、かつ前記差し込み面１３の中央部にはトナーカートリッジを収容したときに上下に移行可能な大きさの開口部１４が設けられていて、収容されるトナーカートリッジの下部が前記開口部に挿入される深さをａとするとき、トナーカートリッジ上部側に前記ａよりも大きい空間距離ｂを有するように収容スペースを設ける。【選択図】図４
2005070159.tif 000002
【特許請求の範囲】
【請求項１】
トナーカートリッジを収容する梱包用箱体であって、当該箱体はその上辺端部につながる開閉面を有し、当該開閉面は蓋面、側面補強面および差し込み面の３面がそれぞれ折り曲げ線を介して一体形成されており、前記差し込み面を箱体側面下部に設けた差込口を通して箱内部に差し込むことによって梱包箱体を形成し、かつ前記差し込み面の中央部にはトナーカートリッジを収容したときに上下に移行可能な大きさの開口部が設けられていることを特徴とする梱包用箱体。
【請求項２】
前記梱包箱体において、収容されるトナーカートリッジの下部が前記開口部に挿入される深さをａとするとき、トナーカートリッジ上部側に前記ａよりも大きい空間距離ｂを有するように収容スペースが設けられていることを特徴とする請求項１記載の梱包用箱体。
【発明の詳細な説明】
【技術分野】
【０００１】
本発明はナーカートリッジ梱包用箱体に関し、さらに詳しくは画像形成装置の現像装置に使用されるトナーカートリッジを収容するための梱包用箱体に関する。
【背景技術】
【０００２】
画像形成装置の現像装置に使用されるトナーは、補給用カートリッジに充填されて販売されているが、この収容トナーはどちらか一方の端側に片寄って凝集しやすく、この状態で現像装置に装着するとトナーの補給ムラが発生し、得られる画像に濃度ムラを生じやすくなる。このために、ユーザーに向けて、トナーカートリッジに振動を与えてトナーをほぐしてから装着するように製品説明がなされている。しかし、ユーザーによっては、この説明に気づかなかったり、あるいは与える振動が不十分であったりすることも想定される。
【０００３】
このために、ユーザーが装着するに際して、それほど意識しなくてもトナーの凝集がほぐれるように、例えばトナーカートリッジの梱包の仕方を工夫することが考えられる。従来、図５のように、トナー６を含むトナーカートリッジ１は、発泡スチロールやモールドパルプなどの緩衝材型枠（収容スペース）７に入れて、ボール紙などよりなる箱体２に梱包し、この梱包に際して画像形成装置に装着する方向とは反対側が上向きとなるように収容することが行なわれている［図５（ａ）参照］。従って、ユーザーがカートリッジを取り出して装着しようとする間にカートリッジが１８０度回転することになり［図５（ｂ）参照］、内部のトナーにある程度の流動を与えることになる。しかし、この梱包の仕方では１８０度の回転がなされるものの、トナーの凝集をほぐすほどに十分な振動までは与えることができない。
【０００４】
別に、トナーカートリッジを梱包ケースから取り出すときに、トナーを流動させることを図った例としては、特許文献１に開示の収納ケースが挙げられる。このケースは、図６に示されるように、トナーカートリッジ１の胴面部１Ａにテープ３を巻き付け、この引き出し端部を、トナーカートリッジ収納ケース２に設けた開口４より外部へ出すようにして、このテープ３を引っ張り出すことによりトナーカートリッジ１を回転させて、トナーを攪拌、流動しようとするものである。
【特許文献１】特開平５−１５８３４４号公報（要約、請求項１〜２、図１）
【発明の開示】
【発明が解決しようとする課題】
【０００５】
従来、トナーカートリッジの梱包用箱体は、前述のように、内部から取り出す際に１８０度回転を伴うように梱包の仕方に工夫がみられるものの、それだけでトナーの凝集をほぐすには不十分であり、また特許文献１のケースは開包回転させるために特別にテープを設置することが必要である。そこで、本発明の目的は、簡単に箱体の構成を変えるだけで、ユーザーが梱包用箱体からトナーカートリッジを取り出して画像形成装置に装着する間に、必然的に３６０度の回転が行われるように構成し、内部トナーが充分に攪拌、流動化するように工夫した梱包用箱体を提供しようとするものである。
【課題を解決するための手段】
【０００６】
上記の目的を達成するために、本発明は、以下のとおりの、トナーカートリッジを収納するための梱包用箱体を提供するものである。
【０００７】
１）トナーカートリッジを収容する梱包用箱体であって、当該箱体はその上辺端部につながる開閉面を有し、当該開閉面は蓋面、側面補強面および差し込み面の３面がそれぞれ折り曲げ線を介して一体形成されており、前記差し込み面を箱体側面下部に設けた差込口を通して箱内部に差し込むことによって梱包箱体を形成し、かつ前記差し込み面の中央部にはトナーカートリッジを収容したときに上下に移行可能な大きさの開口部が設けられていることを特徴とする梱包用箱体。
【０００８】
２）前記梱包箱体において、収容されるトナーカートリッジの下部が前記開口部に挿入される深さをａとするとき、トナーカートリッジ上部側に前記ａよりも大きい空間距離ｂを有するように収容スペースが設けられていることを特徴とする上記１）項記載の梱包用箱体。
【発明の効果】
【０００９】
本発明の梱包用箱体によると、収容されているトナーカートリッジを取り出して装着する際に、必然的に３６０度の回転が行われることになり、保存中に偏在して凝集したトナーがより強く流動、攪拌されるので、トナーの補給ムラの発生やそれによって生ずる画像の濃度ムラの防止に効果がある。
【発明を実施するための最良の形態】
【００１０】
本発明のトナーカートリッジの梱包用箱体について、図面を参照しつつ説明する。図１は、梱包用箱体の一例を示す斜視図である。当該箱体１０は、その上側の長辺端部につながって開閉面１５を有しており、開閉面１５は蓋面１１、側面補強面１２および差し込み面１３がそれぞれ折り曲げ線を介して一体形成されている。当該開閉面１５はその先端側にある差し込み面１３を矢印方向に向けて差込口１６に差し込むことによって、蓋面１１によって蓋がなされる状態となり、側面補強面１２が箱側面部１２´に沿って延伸するように組み立てることによって、梱包用箱体が形成されるものである。箱内部に差し込まれた前記差し込み面１３は、箱体の下部側において仕切り部を形成することになり、トナーカートリッジを収容するときはその下部が、差し込み面１４の中央部に設けた開口部１４に挿入するようにして保持される。
【００１１】
図２は、図１の箱体の展開図であり、これを組み立てることにより梱包用箱体が形成される。箱体の材質としては、通常、ダンボール紙が用いられる。本発明における梱包用箱体は、図１のように組み立てられた梱包状態のみならず、図２のように、組み立て前の状態も包含する。
【００１２】
図３は、梱包対象となるトナーカートリッジ１７の形態例を示したものであって、通常、図３（ａ）に示すように、平らな面を上に向けた状態で画像形成装置内に装着されている。そして、図３（ｂ）に示す下面には、トナー落下口１８が備えられ、図示されないカートリッジ内部のトナー搬送機構により画像形成装置の現像装置内へトナーが落下するようになっている。
【００１３】
図４は、本発明の梱包用箱体を用いるときの、トナーカートリッジを梱包した状態を、図１のＡ方向からみたときの断面図で表したものである。ここで、図４（ａ）は、トナー（Ｔ）を含むカートリッジ１７が、本発明の梱包用箱体１０に梱包されていることを示し、このときカートリッジの上下方向は、画像形成装置に装着する方向に一致させて、図３（ａ）と同じ向きで収容する。カートリッジ１７は、その下側の一部が差し込み面１３の中央部に形成された開口部１４に挿入したかたちで保持されており、その挿入された深さがａで表されている。差し込み口１６は、カートリッジ収容スペースにおける底部から、前記深さａの距離を有する位置に設けられる。一方、収容スペース（ここでは、緩衝材型枠で構成されている）の上部側には、空間距離ｂの空間部が設けられており、空間距離ｂは前記深さａよりも大となるように形成されている。この位置状態では、トナーカートリッジの下部が開口部１４に挿入されてロック状態となっていることから、ユーザーが差し込み面１３を引き戻すことができず、カートリッジ１７も取り出すことはできない。
【００１４】
カートリッジを取り出すときには、この梱包体を１８０度回転させて倒置する［図４（ｂ）参照］。これによって、カートリッジ１７は、前記空間距離ｂに相当する分だけ移行し開口部１４からはずれて、差し込み面１３よりも下側に位置することになる。従って、ロックオフの状態となり、差し込み面１３を矢印方向に引っ張りだすことが可能になる。
【００１５】
次に、差し込み面１３を引き抜いた後、梱包体を、蓋面１１が上方にくるように再度、１８０度回転して正置し、開閉面１５全体を開包することにより［図４（ｃ）参照］、トナーカートリッジが取り出される。このようにして、トナーカートリッジ１７は、図４（ａ）、（ｂ）、（ｃ）と進むことにより、装着前に、合わせて３６０度の回転が必然的に行なわれることとなり、例えば図５の梱包方法に比べると、内部のトナーがより強く流動、攪拌されて，ほぐれた状態にすることができる。
【００１６】
なお、トナーカートリッジを梱包するときは、図４において、（ｃ）、（ｂ）、（ａ）の順序で行なえばよく、また梱包後、流通・保存時など装着前においては（ａ）の位置が維持されるように、梱包体表面に上向き矢印などにより正位置を表示しておくことが好ましい。
【産業上の利用可能性】
【００１７】
画像形成装置の現像装置に使用されるトナーカートリッジを収容するための梱包用として有用である。
【図面の簡単な説明】
【００１８】
【図１】本発明の、トナーカートリッジを収容するための梱包用箱体の斜視図である。
【図２】図１の箱体の展開図を示す。
【図３】トナーカートリッジの一例とそれを保護するための緩衝材型枠を示す。
【図４】本発明の梱包用箱体の使用状態を示す。
【図５】従来のトナーカートリッジの梱包方法の例を示す。
【図６】従来のトナーカートリッジ梱包ケース例を示す。
【符号の説明】
【００１９】
１０  梱包用箱体
１１  蓋面
１２  側面補強面
１３  差し込み面
１４  開口部
１５  開閉面
１６  差し込み口
１７  トナーカートリッジ
【図１】
2005070159.tif 000003
【図２】
2005070159.tif 000004
【図３】
2005070159.tif 000005
【図４】
2005070159.tif 000006
【図５】
2005070159.tif 000007
【図６】
2005070159.tif 000008